(57)【要約】【課題】表示装置において、表示面の温度むらに起因した表示品位の低下を抑制する。【解決手段】記憶性表示体１４０は、表示装置１００の表示面を構成する。センサ１６０は、表示面近傍の温度を検知する。ヒータ１７０は、表示面を全体にわたり加熱する。ヒータ制御部１８０は、センサ１６０により検知された温度に基づき、ヒータ１７０による加熱を制御する。具体的には、ヒータ制御部１８０は、センサ１６０により検知された温度が所定の温度（例えば、人体の皮膚の表面温度程度）以下である場合にヒータ１７０に電力を供給し、センサ１６０により検知された温度が所定の温度より高い場合にヒータ１７０に電力を供給しない。このようにすれば、表示面はその全面が均一の温度となり、当該温度に近い温度の物体（操作者の指等）が触れたとしても、表示面に温度むらが生じにくくなる。【選択図】図１
2008176008.tif 000002
【特許請求の範囲】
【請求項１】
表示面を有する表示手段と、
前記表示面の近傍の温度を検知する検知手段と、
前記表示面を全体にわたり加熱する加熱手段と、
前記検知手段により検知される温度が決められた範囲となるように前記加熱手段による加熱を制御する加熱制御手段と、
前記加熱制御手段による制御の実行の可否を切り換える切換手段と
を備えることを特徴とする表示装置。
【請求項２】
前記検知手段は、前記表示面の複数の位置の温度を検知し、
前記加熱手段は、各々が前記表示面を含み、前記複数の位置のいずれかに対応する複数の領域をそれぞれ加熱する
ことを特徴とする請求項１に記載の表示装置。
【請求項３】
前記表示手段は、記憶性表示体による前記表示面と、当該表示面に表示する画像を書き換える書換手段とを備え、
前記切換手段は、前記書換手段により前記表示面の画像が書き換えられる場合に、前記加熱制御手段による制御を実行する
ことを特徴とする請求項１に記載の表示装置。
【請求項４】
自装置に内蔵される電源から電力を供給する第１の供給手段と、
自装置外部の電源から電力を供給する第２の供給手段とを備え、
前記切換手段は、前記第２の供給手段により電力が供給可能である場合に、前記加熱制御手段による制御を実行し、前記第２の供給手段により電力が供給可能でない場合に、前記加熱制御手段による制御を実行しない
ことを特徴とする請求項１に記載の表示装置。
【請求項５】
表示装置が載置されたときに当該表示装置を加熱する加熱手段と、
前記表示装置から情報を取得する取得手段と、
前記取得手段により取得された情報に応じて、前記加熱手段による加熱を制御する加熱制御手段と
を備えることを特徴とするスタンド装置。
【発明の詳細な説明】
【技術分野】
【０００１】
本発明は、表示装置の表示面の温度に起因する表示むらを抑制するための技術に関する。
【背景技術】
【０００２】
記憶性を有する表示体（以下「記憶性表示体」という。）が電子ペーパ等に利用されている。記憶性表示体とは、電圧を印加しなくても表示状態（すなわち階調）を維持することが可能な表示体のことであり、例えば、コレステリック液晶によるものがある（例えば、特許文献１参照）。記憶性表示体は、表示を書き換える期間にだけ電圧を印加すればよいので、低消費電力であり、携帯性を要する表示装置に用いるに特に好適であるといえる。また、記憶性表示体は、電圧を印加しなくても表示状態が安定しているので、ちらつきが少なく、長時間見続けても眼を疲労させにくいという特徴がある。
【特許文献１】特開平７−１７５０４１号公報
【発明の開示】
【発明が解決しようとする課題】
【０００３】
一方で、記憶性表示体は、一般的に温度の影響を受けやすい表示方式である。例えば、コレステリック液晶を用いた記憶性表示体の場合、温度により液晶の粘性が変化するため、温度が異なると、同一の駆動条件（駆動速度や駆動電圧）であっても表示される階調に変化が生じる。それゆえ、例えば、その表示面に指などが触れた場合や、光（熱線）が表示面に局所的に照射された場合などには、表示面の温度が不均一となり、その表示にむらを生じることがある。
本発明は、かかる事情に鑑みてなされたものであり、表示装置において、表示面の温度むらに起因した表示品位の低下を抑制することを可能にする技術を提供することを目的としている。
【課題を解決するための手段】
【０００４】
上述した目的を達成するために、本発明に係る表示装置は、表示面を有する表示手段と、前記表示面の近傍の温度を検知する検知手段と、前記表示面を全体にわたり加熱する加熱手段と、前記検知手段により検知される温度が決められた範囲となるように前記加熱手段による加熱を制御する加熱制御手段と、前記加熱制御手段による制御の実行の可否を切り換える切換手段とを備える。
かかる表示装置によれば、表示面はその全面が決められた範囲内のほぼ均一な温度となるため、当該温度に近い温度の物体（例えば、操作者の指等）が触れたとしても、表示面に温度むらが生じにくくなる。
なお、本発明における表示面としては、コレステリック液晶等の記憶性表示体を用いるのが好適である。しかしながら、本発明は、コレステリック液晶に限らず、温度により応答性が変化する種々の表示体に適用することができる。
【０００５】
また、本発明の表示装置において、前記検知手段は、前記表示面の複数の位置の温度を検知し、前記加熱手段は、各々が前記表示面を含み、かつ、前記複数の位置のいずれかに対応する複数の領域をそれぞれ加熱する構成を採用してもよい。このようにすれば、複数の位置で温度差が生じた場合に、この温度差を小さくすることが可能となる。
【０００６】
また、本発明の表示装置において、前記表示手段は、記憶性表示体による前記表示面と、当該表示面に表示する画像を書き換える書換手段とを備え、前記切換手段は、前記書換手段により前記表示面の画像が書き換えられる場合に、前記加熱制御手段による制御を実
行する構成を採用してもよい。なお、加熱手段による加熱を開始するタイミングは、画像が書き換えられた後であってもよいし、画像が書き換えられる前（あるいは書き換えと同時）であってもよい。このようにすれば、書き換えを行わない期間、すなわち表示状態を維持する期間には不要な加熱を行わないようにすることができるので、電力消費を抑制することが可能となる。
【０００７】
また、本発明の表示装置は、自装置に内蔵される電源から電力を供給する第１の供給手段と、自装置外部の電源から電力を供給する第２の供給手段とを備え、前記切換手段は、前記第２の供給手段により電力が供給可能である場合に、前記加熱制御手段による制御を実行し、前記第２の供給手段により電力が供給可能でない場合に、前記加熱制御手段による制御を実行しない構成を採用してもよい。このようにすれば、表示装置が携帯可能である場合に、携帯時等の外部からの電力供給が期待できないときの電力消費を抑制し、表示時間の減少を抑制することが可能となる。
【０００８】
なお、本発明は、上述した表示装置のみならず、表示装置を載置するためのスタンド装置や、表示装置とスタンド装置とを備えた表示システムとしても特定され得る。例えば、本発明に係るスタンド装置は、表示装置が載置されたときに当該表示装置を加熱する加熱手段と、前記表示装置から情報を取得する取得手段と、前記取得手段により取得された情報に応じて、前記加熱手段による加熱を制御する加熱制御手段とを備えることを特徴とするものである。
【発明を実施するための最良の形態】
【０００９】
以下、図面を参照して本発明の実施の形態を説明する。
［第１実施形態］
図１は、本発明の一実施形態である表示装置１００の構成を示すブロック図である。また、図２は、この表示装置１００の外観を示す図である。図１に示すように、表示装置１００は、第１電力供給部１１０と、第２電力供給部１２０と、表示体駆動部１３０と、記憶性表示体１４０と、データ供給部１５０と、センサ１６０と、ヒータ１７０と、ヒータ制御部１８０と、操作部１９０とを備える。
【００１０】
第１電力供給部１１０は、内蔵された電池１１１から表示体駆動部１３０、データ供給部１５０およびヒータ制御部１８０に電力を供給する。電池１１１は、充電可能な二次電池であると望ましいが、乾電池等の一次電池であってもよい。第２電力供給部１２０は、プラグやコンバータを備え、表示装置１００の外部にある電源から供給された電力を表示体駆動部１３０、データ供給部１５０およびヒータ制御部１８０に供給する。すなわち、表示装置１００は、内蔵した電源と外部電源の少なくとも一方を用いて作動する。表示体駆動部１３０は、記憶性表示体１４０を駆動するための駆動回路を備え、データ供給部１５０から供給された表示データに応じた駆動電圧を記憶性表示体１４０に供給する。
【００１１】
記憶性表示体１４０は、記憶性液晶による液晶層を有する表示体であり、図２に示す表示面１４０Ｄを構成する。ここにおいて、記憶性液晶とは、電圧を印加しなくても表示状態（すなわち階調）を維持することが可能な液晶のことである。この記憶性液晶としては、例えばコレステリック液晶が用いられる。記憶性表示体１４０は、複数行複数列の画素を有し、それぞれの画素は、供給される表示データに応じた階調となる。なお、記憶性表示体１４０の各画素の階調数は任意である。
【００１２】
データ供給部１５０は、ＣＰＵ（Central Processing Unit）等の演算処理装置や、フ
ラッシュメモリ等の記憶媒体を備え、表示体駆動部１３０に表示データを供給する。なお、表示データとは、記憶性表示体１４０の各画素の階調、すなわち濃度を示すデータである。データ供給部１５０は、表示データをあらかじめ記憶していてもよいし、他のデータ
から表示データを生成してもよい。また、データ供給部１５０は、表示データを表示体駆動部１３０に供給する毎に、その旨を表す信号をヒータ制御部１８０に出力する。この信号のことを、以下では「書換信号」という。
【００１３】
センサ１６０は、表示面の温度を検知し、これを表す検知信号をヒータ制御部１８０に出力する。センサ１６０は、例えばサーミスタである。センサ１６０は、表示面の背面側、すなわち表示面の外部に露出していない側の適当な位置に、当該表示面と近接して設けられている。しかし、センサ１６０は、その周囲の温度が表示面と実質的に同等とみなせる位置、すなわち表示面の近傍の位置にあれば足り、表示面の背面側に近接して設けられている必要はない。また、センサ１６０は、ヒータ１７０が発する熱の影響を受けぬよう、いわゆる熱シールド等が設けられていると望ましい。
【００１４】
ヒータ１７０は、表示面とほぼ同等の面積を有する平面状のヒータであり、表示面の全体を背面側から均一に加熱する。ヒータ１７０は、例えば、発熱する平面状の抵抗体と、この抵抗体に電力を供給する１対の電極とを備える。ヒータ制御部１８０は、ヒータ１７０に供給する電力を制御することにより、ヒータ１７０による加熱を制御する。ヒータ制御部１８０は、センサ１６０からの検知信号に基づき、この制御を実行する。なお、説明の便宜上、本実施形態においてはデータ供給部１５０とヒータ制御部１８０とを別体にして説明するが、これらの機能は同一の演算処理装置等により実現されてもよい。
【００１５】
操作部１９０は、図２に示す操作キー１９１、１９２、１９３および１９４を備え、操作者による操作を受け付ける。操作部１９０は、操作者による操作を受け付けると、その操作に応じた操作信号をデータ供給部１５０に出力する。
【００１６】
本実施形態の表示装置１００の構成は以上のとおりである。続いて、この表示装置１００により実行される動作を説明する。
表示装置１００は、表示データに応じた画像を表示する。具体的には、表示装置１００のデータ供給部１５０が、記憶性表示体１４０の各画素に応じた表示データを表示体駆動部１３０に供給し、表示体駆動部１３０が、この表示データに応じた駆動電圧を記憶性表示体１４０の各画素に印加する。また、データ供給部１５０は、操作部１９０から操作信号を取得したときなどの所定のタイミングで表示データを表示体駆動部１３０に供給し、表示面に表示される画像を書き換える。このとき、データ供給部１５０は、書換信号をヒータ制御部１８０に出力する。
【００１７】
表示装置１００がこのような表示を行っているときに、ヒータ制御部１８０は、ヒータ１７０のオン／オフを制御する。ヒータ制御部１８０は、センサ１６０からの検知信号に基づいてこの制御を行う。この制御は、要するに、表示面をほぼ一定の温度に保つために行うものである。なお、ここにおいて、表示装置１００の周囲の温度は、屋内外における通常の使用環境下の温度であるとし、高くとも３０℃程度であるとする。
【００１８】
図３は、ヒータ制御部１８０が実行する処理を示すフローチャートである。なお、この処理は、表示装置１００が作動している間に繰り返し実行されるものである。同図に示すように、ヒータ制御部１８０は、まず、この処理の開始時から所定の期間内に表示面の書き換えが行われたか否かを判断する（ステップＳａ１）。ヒータ制御部１８０は、データ供給部１５０からの書換信号に基づいてこの判断を行う。ここにおいて、表示面の書き換えが行われていない場合（ステップＳａ１：ＮＯ）、ヒータ制御部１８０は処理を終了する。
【００１９】
一方、所定の時間内に表示面の書き換えが行われている場合（ステップＳａ１：ＹＥＳ）、ヒータ制御部１８０は、第２電力供給部１２０から電力が供給されているか否かを判
断する（ステップＳａ２）。第２電力供給部１２０から電力が供給されていない場合（ステップＳａ２：ＮＯ）、ヒータ制御部１８０は処理を終了する。すなわち、ヒータ制御部１８０は、所定の時間内に表示面が書き換えられ、かつ、第２電力供給部１２０から電力が供給されている場合に後述する処理を実行し、それ以外の場合には後述する処理を実行しないということである。
【００２０】
第２電力供給部１２０から電力が供給されている場合（ステップＳａ２：ＹＥＳ）、ヒータ制御部１８０は、その時点での温度を特定する（ステップＳａ３）。ヒータ制御部１８０は、センサ１６０からの検知信号を取得することにより、温度の特定を行う。次に、ヒータ制御部１８０は、特定した温度が所定の温度以下であるか否かを判断する（ステップＳａ４）。ここにおいて、所定の温度とは、例えば、３３〜３５℃程度である。なお、この値は、人体の皮膚の表面温度を考慮して定められたものである。
【００２１】
ヒータ制御部１８０は、温度が所定以下である場合には（ステップＳａ４：ＹＥＳ）、ヒータ１７０に電力を供給して加熱を行わせ（ステップＳａ５）、その後ステップＳａ３からの処理を定期的に繰り返す。一方、ヒータ制御部１８０は、温度が所定以下でない場合には（ステップＳａ４：ＮＯ）、ヒータ１７０への電力の供給を止め（ステップＳａ６）、ステップＳａ１からの処理を繰り返す。
【００２２】
このように動作することで、センサ１６０により検知される温度は、ある決められた範囲に制御される。これは、ステップＳａ３〜Ｓａ５の処理が繰り返し実行されるためである。すなわち、センサ１６０により検知された温度を判断し、これが所定の温度以下である場合にはヒータ１７０による加熱を行い、所定の温度を超えた場合にはヒータ１７０による加熱を停止させる処理を定期的に繰り返し実行することにより、センサ１６０により検知される温度は、常に所定の温度近傍の値となり、決められた範囲を超えることがない。
【００２３】
したがって、表示装置１００の表示面は、画像の書き換えがある程度の頻度で行われているときには、ほぼ一定の温度に保たれる。これにより、例えば、操作者が表示面の一部の領域を指で触ったりしても、当該領域が他の領域よりも高温になるようなことが起こらず、表示面に温度の不均一が生じることを抑制することが可能となる。それゆえ、本実施形態の表示装置１００は、表示面の温度がほぼ均一となり、表示むらの発生を抑制することができる。
【００２４】
また、本実施形態の表示装置１００は、表示面の書き換えが行われていないときには、ヒータ１７０による加熱を行わないように構成されている。これは、表示装置１００の表示面が記憶性表示体１４０によって構成されていることによる。上述したように、記憶性表示体１４０は、電圧を印加しなくても表示状態を維持できるため、書き換えが行われていないときには表示品位が低下しない。そのため、このときには表示面の温度を均一に保つ必要がないといえる。このような構成を採用することにより、本実施形態の表示装置１００は、無駄な電力消費を抑えることが可能となる。
【００２５】
しかしながら、本実施形態のような構成とした場合、表示面の書き換えが長時間行われなかったとすると、表示面の温度に不均一が生じるおそれがある。このような状態のときに表示面の書き換えが行われると、温度の不均一に起因する表示むらが発生する可能性がある。このような不都合を回避するためには、例えば、表示面の書き換えの指示の有無によらずに加熱を行う構成とすればよい。すなわち、上述したステップＳａ１の処理は、省略することができるということである。
【００２６】
また、本実施形態の表示装置１００は、第２電力供給部１２０から電力が供給されてい
ないときには、ヒータ１７０による加熱を行わないように構成されている。これは、表示装置１００の携帯性を考慮した場合、電池１１１の容量は制限される傾向にあるからである。すなわち、操作者が表示装置１００を携帯しながら移動している場合のように、外部電源からの電力供給が行えない場合には、表示装置１００の作動は内蔵された電源のみに依存することになる。このような場合に、ヒータ１７０による加熱を行うと、その分だけ電力消費が増加し、表示を行える時間が減少することとなる。つまり、本実施形態の表示装置１００は、第２電力供給部１２０から電力が供給されていないときにはヒータ１７０による加熱を行わない構成を採用することにより、携帯時等の表示時間の減少を抑制することが可能となる。
【００２７】
しかしながら、例えば屋内における使用を前提とした構成である場合などには、第２電力供給部１２０からの電力供給をほぼ常時期待できることがある。そこで、このような場合には、第２電力供給部１２０からの電力供給の有無によらずにヒータ１７０による加熱を行う構成であってもよい。すなわち、上述したステップＳａ２の処理は、省略することができるということである。
【００２８】
なお、本実施形態においては、ステップＳａ３〜Ｓａ５の処理を繰り返し実行することによって、センサ１６０により検知される温度をある程度の範囲に保っていたが、例えば、ＰＩＤ制御等の他の方法によって、センサ１６０により検知される温度を一定の範囲に保つようにしてもよい。
【００２９】
［第２実施形態］
続いて、本発明の第２の実施形態を説明する。本実施形態は、温度を検知する構成と表示面を加熱する構成とが上述した第１実施形態と異なるものである。なお、本実施形態においては、上述した第１実施形態と同様である構成要素には同一の符号を付し、適宜その説明を省略する。
【００３０】
図４は、本実施形態の表示装置２００の構成を示すブロック図である。同図に示すように、表示装置２００は、第１電力供給部１１０と、第２電力供給部１２０と、表示体駆動部１３０と、記憶性表示体１４０と、データ供給部１５０と、センサ部２６０と、ヒータ部２７０と、ヒータ制御部２８０と、操作部１９０とを備える。すなわち、本実施形態の表示装置２００は、センサ部２６０、ヒータ部２７０およびヒータ制御部２８０が上述した表示装置１００と異なっている。なお、表示装置２００の外観は、表示装置１００と同様である。
【００３１】
センサ部２６０は、センサ２６１、２６２、２６３および２６４を備える。センサ２６１〜２６４は、それぞれ、上述したセンサ１６０と同様の構成を有する。センサ２６１〜２６４は、それぞれが決められた位置に設けられている。ヒータ部２７０は、ヒータ２７１、２７２、２７３および２７４を備える。ヒータ２７１〜２７４は、それぞれ、上述したヒータ１７０と同様の構成を有するが、そのサイズ（面積）はヒータ１７０と異なる。ヒータ２７１〜２７４は、ヒータ１７０のおよそ１／４のサイズであり、ヒータ２７１〜２７４を合わせたサイズがヒータ１７０のサイズとほぼ同等である。
【００３２】
図５は、センサ２６１〜２６４とヒータ２７１〜２７４の位置関係を示す図である。なお、同図においては、表示面の４辺を破線で示している。同図に示すように、ヒータ２７１〜２７４は、表示面を上下に２分割し、左右に２分割した４つの領域のそれぞれに対応するように設けられており、表示面のその対応する領域を加熱する。また、センサ２６１〜２６４は、それぞれ、上述した４つの領域のいずれかに含まれる位置において温度を検知する。すなわち、センサ２６１とヒータ２７１とが対応関係を有しており、同様に、センサ２６２とヒータ２７２、センサ２６３とヒータ２７３およびセンサ２６４とヒータ２
７４のそれぞれが対応関係を有している。
【００３３】
ヒータ制御部２８０は、センサ２６１〜２６４のそれぞれから検知信号を取得し、対応するヒータ２７１〜２７４に供給する電力を制御する。具体的には、ヒータ制御部２８０は、センサ２６１〜２６４から取得した検知信号に基づいてそれぞれの位置における温度を特定し、特定した温度に所定以上の温度差がある場合に、その温度差を小さくするようにヒータ２７１〜２７４による加熱を制御する。
【００３４】
図６は、ヒータ制御部２８０が実行する処理を示すフローチャートである。なお、この処理は、表示装置１００が作動している間に繰り返し実行されるものである。同図に示すように、ヒータ制御部２８０は、まず、この処理の開始時から所定の期間内に表示面の書き換えが行われたか否かを判断し（ステップＳｂ１）、次いで、第２電力供給部１２０から電力が供給されているか否かを判断する（ステップＳｂ２）。これらの処理は、上述した第１実施形態のステップＳａ１およびＳａ２の処理と同様の処理である。ヒータ制御部２８０は、これらの判断がともに肯定的であった場合に、ヒータ部２７０による加熱の制御を実行する。
【００３５】
ステップＳｂ１およびＳｂ２の判断の後、ヒータ制御部２８０は、センサ部２６０からの検知信号に基づいて温度を特定する（ステップＳｂ３）。具体的には、ヒータ制御部２８０は、センサ２６１〜２６４の各々から出力された検知信号に基づいて、それぞれの位置における温度を特定する。すなわち、このときヒータ制御部２８０は、図５に示した４箇所の温度を特定する。これらの位置は、表示面を４分割した場合のそれぞれの領域に対応するものである。
【００３６】
続いて、ヒータ制御部２８０は、特定した４箇所の温度の差が所定の閾値以上であるか否かを判断する（ステップＳｂ４）。具体的には、ヒータ制御部２８０は、特定した温度の最大値と最小値とを特定し、これらの差分が所定の閾値以上であるか否かを判断する。なお、この閾値は、同一の駆動条件の下で表示むらとして認められない程度の表示が可能となるように定められればよく、例えば、２〜３（℃）程度である。
【００３７】
ヒータ制御部２８０は、温度差が閾値以上である場合（ステップＳｂ４：ＹＥＳ）、検知された温度が比較的低い１または複数のセンサ（２６１〜２６４のいずれか）に対応するヒータ（２７１〜２７４のいずれか）に電力を供給し、加熱を行わせる（ステップＳｂ５）。例えば、センサ２６１において検知された温度が他に比べて低かった場合、ヒータ制御部２８０は、これに対応するヒータ２７１に電力を供給する。その後、ヒータ制御部２８０は、ステップＳｂ３からの処理を繰り返す。
一方、温度差が閾値未満である場合（ステップＳｂ４：ＮＯ）、ヒータ制御部２８０は、ヒータ部２７０による加熱を行わせず（ステップＳｂ６）、ステップＳｂ１からの処理を繰り返す。
【００３８】
このように動作することで、センサ２６１〜２６４により検知される温度は、その温度差が所定の範囲内となるように制御される。これにより、例えば、表示面に対して局所的に光が照射されたとしても、この光に起因する温度むらを抑制することが可能となる。それゆえ、本実施形態の表示装置２００は、表示面の温度がほぼ均一となり、表示むらの発生を抑制することができる。
【００３９】
なお、本実施形態においては、特定した４箇所の温度の差が所定の閾値以上であるかを判断することにより、温度を所定の範囲内に保つ処理を行っていたが、温度を所定の範囲内に保つための処理はこの方法に限定されない。例えば、ヒータ制御部２８０は、４箇所の温度の平均値を算出し、この平均値を下回る温度を検出したセンサ（２６１〜２６４の
いずれか）に対応するヒータ（２７１〜２７４のいずれか）に電力を供給するようにしてもよい。
【００４０】
［第３実施形態］
続いて、本発明の第３の実施形態を説明する。本実施形態は、表示装置とこれを載置するスタンド装置とにより構成される表示システムである。なお、本実施形態においても、上述した第１実施形態と同様である構成要素については、適宜その説明を省略する。
【００４１】
図７は、本実施形態の表示システム３０の構成を示すブロック図である。また、図８は、この表示システム３０の外観を示す図である。図７に示すように、表示システム３０は、表示装置３００とスタンド装置４００とを備える。表示装置３００は、電力供給部３１０と、インタフェース部３２０と、表示体駆動部１３０と、記憶性表示体１４０と、データ供給部１５０と、センサ１６０と、操作部１９０とを備える。また、スタンド装置４００は、電力供給部４１０と、インタフェース部４２０と、ヒータ１７０と、ヒータ制御部１８０とを備える。
【００４２】
電力供給部３１０は、上述した第１電力供給部１１０に相当するものであり、内蔵した電源により表示装置３００の各部に電力を供給する。インタフェース部３２０は、所定の規格の端子を有し、スタンド装置４００と情報の送受信を行う。なお、センサ１６０は、検知信号をインタフェース部３２０に出力し、データ供給部１５０は、書換信号をインタフェース部３２０に出力する。インタフェース部３２０は、これらの信号をスタンド装置４００に送信する。
【００４３】
スタンド装置４００は、図８に示すように、表示装置３００を載置可能な構造を有している。なお、スタンド装置４００において、表示装置３００の背面と接する部分のことを、以下では「載置部」という。
電力供給部４１０は、上述した第２電力供給部１２０に相当するものであり、外部電源によりスタンド装置４００の各部に電力を供給する。インタフェース部４２０は、インタフェース部３２０の端子に対応したコネクタを有し、表示装置３００と情報の送受信を行う。インタフェース部４２０は、表示装置３００に対して、情報の送受信とともに電力の供給を行ってもよい。なお、ヒータ１７０は、上述した載置部に設けられる。また、ヒータ制御部１８０は、インタフェース部４２０を介して検知信号および書換信号を取得し、ヒータ１７０による加熱を制御する。
【００４４】
本実施形態の動作は、検知信号および書換信号がインタフェース部３２０および４２０を介してやりとりされる点を除けば、上述した第１実施形態の動作とほぼ同様である。ただし、本実施形態においては、ヒータ制御部１８０が第２電力供給部１２０からの電力のみによって動作するため、ステップＳａ２の処理は不要である。また、ステップＳａ１の処理についても、省略が可能である。ゆえに、本実施形態の表示システム３０においても、上述した第１実施形態の表示装置１００と同様の効果を奏することができる。
【００４５】
［変形例］
以上においては、第１〜第３の実施形態を例示して本発明を説明したが、本発明は、上述した形態での実施に限らず、その他の種々の形態での実施が可能である。そこで、ここでは、他の実施形態の一例を説明する。なお、もちろん、上述した第１〜第３実施形態を適宜に組み合わせる変形も可能である。例えば、第３実施形態の表示システム３０に対して、第２実施形態の表示装置２００に相当する構成を追加することも可能である。
【００４６】
上述した実施形態は、センサからの検知信号に基づいて加熱を制御する構成であったが、検知信号に代えて他の情報を用いてもよい。例えば、表示面にタッチスクリーン（タッ
チパネル）のような接触式のセンサを設けた場合であれば、このセンサが出力する接触の有無を表す信号に基づいて加熱を制御してもよい。この場合、さらには、同一の位置に所定の時間以上の接触が認められる場合に加熱を行うとしてもよい。これは、接触している物体が表示面よりも高温の物体である場合に、表示面の温度が不均一となるおそれがあるためである。
【００４７】
また、上述した実施形態において、ヒータ制御部１８０（または２８０）は、ヒータのオン／オフを制御するのみの構成であったが、ヒータに供給する電力を連続的に変化させる構成としてもよい。このようにすれば、特定した温度に応じた電力を供給することができるので、表示面の温度をより高精度に制御することが可能となる。
【００４８】
また、上述した実施形態において、データ供給部１５０は、表示データを表示体駆動部１３０に供給する毎に書換信号を出力する構成とした。このとき、データ供給部１５０は、書換信号を出力してから所定の時間を経過した後に画像の書き換えが行われるような構成であってもよい。このようにすれば、表示面の画像が書き換えられる前に加熱を開始することができる。
しかし、一般に、加熱手段による十分な加熱には時間を要するため、書換信号の出力タイミングと画像の書き換えタイミングの時間差が僅かである場合には、画像の書き換え時に十分な加熱が行われていない可能性もある。そこで、このような場合のために、操作者が加熱を指示することができる操作キーを操作部１９０に設けてもよい。この場合、ヒータ制御部１８０（または２８０）は、この指示を表す操作信号を取得したときにヒータ１７０（またはヒータ部２７０）による加熱を開始する構成とすればよい。
【００４９】
また、上述した第１実施形態は、ヒータ制御部１８０が第１電力供給部１１０および第２電力供給部１２０から電力供給を受けて動作する構成であったが、第２電力供給部１２０のみから電力供給を受ける構成であってもよい。このような構成とした場合、第２電力供給部１２０が電力を供給できないときには、ヒータ制御部１８０自体が動作しなくなるので、第１実施形態と同様の効果を奏することができる。この場合、第２電力供給部１２０は、ヒータ制御部１８０による制御の実行の可否を切り換える手段として機能しているといえる。また、これは、第２実施形態においても同様である。
【００５０】
また、上述した第２実施形態は、表示面を４つの領域に分割し、それぞれの領域の温度を検知して加熱する構成であったが、もちろん、表示面をさらに多くの領域に分割し、それぞれの領域の温度を検知して加熱する構成であってもよい。また、分割した各領域の面積や形状は同一でなくともよい。
【００５１】
また、上述した第２実施形態においては、センサとヒータとが同数であったが、センサよりもヒータの数が多い構成としてもよい。例えば、対応するセンサを有するヒータと対応するセンサを有さないヒータとが上下左右に交互に配置されるようにヒータ部を構成してもよい。この構成の場合、対応するセンサを有さないヒータに対応する領域の温度は、当該ヒータに隣接するヒータに対応するセンサの温度に基づいて推測すればよい。例えば、この構成においては、当該ヒータに隣接するヒータは複数存在するから、その複数のヒータに対応するセンサの温度を平均するなどして推測すればよい。
【図面の簡単な説明】
【００５２】
【図１】表示装置の構成を示すブロック図である。
【図２】表示装置の外観を示す図である。
【図３】ヒータ制御部が実行する処理を示すフローチャートである。
【図４】表示装置の構成を示すブロック図である。
【図５】センサとヒータの位置関係を示す図である。
【図６】ヒータ制御部が実行する処理を示すフローチャートである。
【図７】表示システムの構成を示すブロック図である。
【図８】表示システムの外観を示す図である。
【符号の説明】
【００５３】
１００…表示装置、１１０…第１電力供給部、１１１…電池、１２０…第２電力供給部、１３０…表示体駆動部、１４０…記憶性表示体、１５０…データ供給部、１６０…センサ、１７０…ヒータ、１８０…ヒータ制御部、１９０…操作部
【図１】
2008176008.tif 000003
【図２】
2008176008.tif 000004
【図３】
2008176008.tif 000005
【図４】
2008176008.tif 000006
【図５】
2008176008.tif 000007
【図６】
2008176008.tif 000008
【図７】
2008176008.tif 000009
【図８】
2008176008.tif 000010